(57)【要約】【課題】簡単な構成により、２匹のペットをつないだ散歩時等にリードが捻じれたり、捩れたりすることを防止または軽減できるペット用リードを提供する。【解決手段】先端に軸転可能な第１連結具１３０が設けられているとともに撓曲性を有する第１リード１００と、両端にペットをつなぐための第２連結具２３０が設けられているとともに撓曲性を有し、中間部において上記第１連結具１３０に連結される第２リード２００と、を備え、上記第２リード２００の長手方向中間部には、当該第２リード２００の長手方向所定長さにわたり、変形非容易部３００が設けられている。【選択図】  図１
2019170166.tif 000002
【特許請求の範囲】
【請求項１】
先端に軸転可能な第１連結具が設けられているとともに撓曲性を有する第１リードと、
両端にペットをつなぐための第２連結具が設けられているとともに撓曲性を有し、中間部において上記第１連結具に連結される第２リードと、を備え、
上記第２リードの長手方向中間部には、当該第２リードの長手方向所定長さにわたり、変形非容易部が設けられていることを特徴とする、ペット用リード。
【請求項２】
上記変形非容易部は、所定の弾力をもって曲げ変形しうる、請求項１に記載のペット用リード。
【請求項３】
上記変形非容易部は、上記第２リードの長手方向中間部に沿わせて、所定長さの弾性部材を支持させて構成されている、請求項２に記載のペット用リード。
【請求項４】
上記第２リードは、偏平部材である、請求項３に記載のペット用リード。
【請求項５】
上記弾性部材は、波板状の合成樹脂または合成ゴムである、請求項４に記載のペット用リード。
【請求項６】
上記弾性部材は、その両端部に設けたリング部を上記第２リードに套挿することにより、上記第２リードに支持されている、請求項５に記載のペット用リード。
【請求項７】
上記第２リードとの間に上記弾性部材を挟むようにして、両端が上記第２リードに接合された帯状保持部材が設けられている、請求項６に記載のペット用リード。
【請求項８】
上記第１連結具は、弾性部材を介して上記第１リードの先端に設けられている、請求項１ないし７のいずれかに記載のペット用リード。
【請求項９】
上記第２連結具は、弾性部材を介して上記第２リードの両端に設けられている、請求項１ないし８のいずれかに記載のペット用リード。
【発明の詳細な説明】
【技術分野】
【０００１】
本発明は、ペット用リードに関し、詳しくは、例えば２匹の犬をつないで散歩させるのに適したペット用リードに関する。
【背景技術】
【０００２】
２匹の犬をつないで散歩させるためのペット用リードとして、例えば特許文献１に記載されたものがある。同文献に記載されたペット用リードは、ユーザに把持されるメインリードと、このメインリードの先端に連結され、先端がペット首輪などにつながれる２本のサブリードとを有する。メインリードの先端には基端側の第１環状部と先端側の第２環状部とが相互軸転可能とされたメイン連結具が設けられている。各サブリードの基端には、それぞれ、基端側の第３環状部と先端側の第４環状部とが相互軸転可能とされたサブ連結部が設けられている。メインリードと２本のサブリードとの連結は、メイン連結具の第２環状部に各サブ連結具の第３環状部を連結することにより行われる。
【０００３】
特許文献１に記載されたペット用リードによれば、メイン連結具において第２環状部より先端側の構成が軸転でき、各サブリードにおいても、第４環状部より先端側の構成が軸転できるので、２本のサブリードにつながれた２匹の犬がグルグルと動き回っても、各サブリードが捻じれたり、２本のサブリードが捩れたりすることが軽減される。
【０００４】
しかしながら、特許文献１に記載されたペット用リードは、メイン連結具の第１環状部と第２環状部が相互に軸転可能であり、各サブ連結部の第３環状部と第４環状部が相互に軸転可能であるとはいえ、動き回るペットによりメインリードおよびサブリードが引っ張られた状況においては、軸転部に作用する摩擦力により、円滑な軸転状態を得ることが困難である。引っ張り力が作用しても円滑な軸転が得られるようにするには、たとえば高価なスイベルジョイントを用いるなどする必要があるが、そうすると、リード全体が大掛かりで重量増加を招くし、安価に提供することができなくなる。
【先行技術文献】
【特許文献】
【０００５】
【特許文献１】特開２００９−２７３３７０号公報
【発明の概要】
【発明が解決しようとする課題】
【０００６】
本発明は、上記した事情のもとで考え出されたものであって、簡単な構成により、２匹のペットをつないだ散歩時等にリードが捻じれたり、捩れたりすることを防止または軽減できるペット用リードを提供することをその課題とする。
【課題を解決するための手段】
【０００７】
上記課題を解決するため、本発明では、次の技術的手段を採用した。
【０００８】
すなわち、本発明により提供されるペット用リードは、先端に軸転可能な第１連結具が設けられているとともに撓曲性を有する第１リードと、両端にペットをつなぐための第２連結具が設けられているとともに撓曲性を有し、中間部において上記第１連結具に連結される第２リードと、を備え、上記第２リードの長手方向中間部には、当該第２リードの長手方向所定長さにわたり、変形非容易部が設けられていることを特徴とする。
【０００９】
好ましい実施形態では、上記変形非容易部は、所定の弾力をもって曲げ変形しうる。
【００１０】
好ましい実施形態では、上記変形非容易部は、上記第２リードの長手方向中間部に沿わせて、所定長さの弾性部材を支持させて構成されている。
【００１１】
好ましい実施形態では、上記第２リードは、偏平部材である。
【００１２】
好ましい実施形態では、上記弾性部材は、波板状の合成樹脂または合成ゴムである。
【００１３】
好ましい実施形態では、上記弾性部材は、その両端部に設けたリング部を上記第２リードに套挿することにより、上記第２リードに支持されている。
【００１４】
好ましい実施形態では、上記第２リードとの間に上記弾性部材を挟むようにして、両端が上記第２リードに接合された帯状保持部材が設けられている。
【００１５】
好ましい実施形態では、上記第１連結具は、弾性部材を介して上記第１リードの先端に設けられている。
【００１６】
好ましい実施形態では、上記第２連結具は、弾性部材を介して上記第２リードの両端に設けられている。
【発明の効果】
【００１７】
上記構成のペット用リードは、第１リードの基端部をユーザが保持し、第２リードの両端の第２連結具を２匹のペットの首輪などに連結して、２匹のペットの散歩時等に使用される。このとき、第２リードの両端部分は、変形非容易部の両端から二股状に前方に延びるようになる。こうして前方に延びる第２リードの両端部分は、変形非容易部により互いに離間しており、しかも第２リードの中間部は軸転可能な第１連結具により第１リードに連結されているので、これら第２リードの両端部分が互いに絡みつくといったことが軽減される。
【００１８】
変形非容易部を弾性曲げ変形可能に構成することにより、第２リードの両端に第２連結具によってつながれるペットの動きによってこの変形非容易部が弾性的に曲げ振動し、これにより、絡みかけた第２リードの両端部分を振り解く作用が期待され、このことも第２リードの両端部分の絡みつきや捩れの防止に寄与する。
【００１９】
本発明のその他の特徴および利点は、添付図面を参照して以下に行う詳細な説明より、明らかになろう。
【図面の簡単な説明】
【００２０】
【図１】本発明の一実施形態にかかるペット用リードの全体構成図である。
【図２】図１のII-II矢視図である。
【図３】図１のIII-III矢視図である。
【図４】図３のIV-IV線拡大断面図である。
【図５】図４のV-V線拡大断面図である。
【図６】図４のVI-VI線拡大断面図である。
【発明を実施するための形態】
【００２１】
以下、本発明の好ましい実施の形態につき、図面を参照して具体的に説明する。
【００２２】
図１ないし図６は、本発明の一実施形態に係るペット用リード１０を示す。このペット用リード１０は、第１リード１００と、第２リード２００とを含む。
【００２３】
第１リード１００は、撓曲性を有する偏平な帯板状部材１２０を含んで形成されており、その先端部には、第１連結具１３０が設けられている。第１連結具１３０は、例えば、ナスカン１３１が用いられ、好ましくは帯板状部材１２０に対して軸転可能な構造のものが用いられる。この第１連結具１３０は、後記する第２リード２００の長手方向中間部に第１リード１００を連結するためのものである。帯板状部材１２０の材質は限定されず、撓曲性を有し、一定の引っ張り強度を有しておればよい。本実施形態では、上記帯板状部材１２０と第１連結具１３０との間に弾性部材１３２を介在させてある。この弾性部材１３２は、本実施形態では、板状のゴムが用いられている。このペット用リード１０の使用時、第１リード１００の基端部を把持するなどしてユーザに連携されるが、本実施形態では第１リード１００の基端部にカラビナ１３５を取付けてある。第１リード１００の長さは、例えば、１．０〜２．０ｍ、幅は、例えば１０〜２５ｍｍである。
【００２４】
第２リード２００は、撓曲性を有する偏平な帯板状部材２２０を含んで形成されており、その両端部には、第２連結具２３０が設けられている。第２連結具２３０は、例えばナスカン２３１が用いられ、好ましくは帯板状部材２２０に対して軸転可能な構造のものが用いられる。第２連結具２３０は、例えばペットの首輪に連結して当該ペット用リード１０にペットをつなぐためのものである。帯板状部材２２０の材質は限定されず、撓曲性を有し、一定の引っ張り強度を有しておればよいが、第１リード１００に使用される帯板状部材１２０と同じものを用いることができる。本実施形態では、上記帯板状部材２２０と第２連結具２３０との間にそれぞれ弾性部材２３２を介在させてある。この弾性部材２３２は、本実施形態では、板状のゴムが用いられている。
【００２５】
第２リード２００の長手方向中間部には、所定長さにわたり、変形非容易部３００が設けられている。この変形非容易部３００は、上記帯板状部材２２０よりも曲げ変形しにくく、一定の弾性強度をもちつつ曲げ変形しうるように形成することが好ましく、本実施形態では次のように構成されている。
【００２６】
すなわち、帯板状部材２２０とほぼ同じ幅で所定長さをもつ弾性部材３１０が上記帯板状部材２２０の一側に沿わせて配置されている。この弾性部材３１０は、具体的には、例えば熱可塑性ウレタン樹脂（ＴＰＵ）を波板状に成型したものが用いられており、その両端部に一体形成されたリング部３１５を帯板状部材２２０に套挿することにより、当該帯板状部材２２０に支持されている。また、帯板状部材２２０との間に上記弾性部材３１０を挟むようにして、両端が帯板状部材２２０に接合された帯状保持部材３２０が設けられている。なお、弾性部材３１０の材質は限定されず、熱可塑性ウレタン樹脂（ＴＰＵ）のほかにも、熱硬化性ポリウレタン（ＰＵ）、熱可塑性ゴム（ＴＰＲ）、熱可塑性エラストマー（ＴＰＥ）、ポリエチレン（ＰＥ）、ポリプロピレン（ＰＰ）などを用いることができる。
【００２７】
弾性部材３１０として、上記のように波板状のものを使用していることにより、外形上の全長長さよりも波板に沿う長さが延長されるため、弾性力の変化が少なく、この弾性部材３１０を大きく曲げ変形させることができる。また、本実施形態では、弾性部材３１０の厚み方向両側が上記帯板状部材２２０と帯状保持部材３２０に覆われるため、弾性部材３１０の曲げ変形時にユーザの手指や衣服、あるいはペットの体の一部が波板の溝に挟み込まれるといった不都合を未然に回避することができ、安全である。
【００２８】
第２リード２００の長手方向の中央、具体的には、上記変形非容易部３００の長手方向中央に、第１リード１００の第１連結具１３０に連結するための連結部材２５０として、Ｄリング２５１が設けられている。本実施形態では、帯板状部材２２０と波板状弾性材３１０がリング内を通るようにして、当該Ｄリング２５１が第２リード２００に設けられている。第２リード２００の長さは、例えば１．０〜１．５ｍ、幅は、例えば１０〜２５ｍｍであり、この場合、変形非容易部３００の長さは、好ましくは７０〜１１０ｍｍである。しかしながら、この変形非容易部３００は、第２リード２００の長さにもよるが、３０ｍｍ以上の長さを有しておれば、十分に本発明の効果を発揮することができる。
【００２９】
次に、上記構成のペット用リード１０の使用方法を説明する。
【００３０】
このペット用リード１０は、上記のようにして第１リード１００と第２リード２００を連結し、第２リード２００の両端の２つの第２連結具２３０にペットをつないで、２匹のペットの散歩時等に使用する。第１リード１００の基端部はユーザが把持し、またはユーザの衣服に連結するなどしてユーザに連携される。
【００３１】
このとき、第２リード２００の両端部分は、変形非容易部３００の両端から二股状に前方に延びるようになる。こうして前方に延びる第２リード２００の両端部分は、変形非容易部３００により互いに離間しており、しかも第２リード２００の中間部は軸転可能な第１連結具１３０により第１リード１００に連結されており、ペットは、軸転可能な第２連結具２３０により第２リード２００につながれるので、２匹のペットが動き回っても、これら第２リード２００の両端部分が互いに絡みつくといったことが軽減される。
【００３２】
変形非容易部３００が弾性曲げ変形可能に構成されているので、第２リード２００の両端に第２連結具２３０によってつながれるペットの動きによってこの変形非容易部３００が弾性的に曲げ振動し、これにより、絡みかけた第２リード２００の両端部分を振り解く作用が期待され、このことも第２リード２００の両端部分の絡みつきや捩れの防止に寄与する。
【００３３】
また、変形非容易部３００が弾性的に曲げ変形可能であるほか、第１リード１００の帯板状部材１２０と第１連結具１３０との間、第２リード２００の両端部における帯板状部材２２０と第２連結具２３０との間にも弾性部材１３２，２３２を介在させてあるので、ペットの動きにより第２連結具２３０に急激な引っ張り力が作用しても、この急激な引っ張り力がそのままユーザに伝達されることがなく、ユーザにとっての使用感が向上する。このことは、ペットにとっても、リード引っ張り方向への急激な動きの自由度が増すことを意味し、ペットにとっても優しいものとなる。
【００３４】
本発明は、上記した実施形態に限定されることはなく、各請求項に記載した範囲内のあらゆる変更は、すべて本発明の範囲に包摂される。
【００３５】
図に示す実施形態の第２リード２００では、一連の帯板状部材２２０の中間部に、これに沿わせるように弾性部材３１０を設けて変形非容易部３００を設けているが、変形非容易部の両端から帯板状部材が延びるようにして第２リード２００を形成することもできる。
【符号の説明】
【００３６】
１０    ペット用リード
１００  第１リード
１２０  帯板状部材
１３０  第１連結具
１３１  ナスカン
１３２  弾性部材
１３５  カラビナ
２００  第２リード
２２０  帯板状部材
２３０  第２連結具
２３１  ナスカン
２３２  弾性部材
２５０  連結部材
２５１  Ｄリング
３００  変形非容易部
３１０  弾性部材
３１５  リング部
３２０  帯状保持部材
【図１】
2019170166.tif 000003
【図２】
2019170166.tif 000004
【図３】
2019170166.tif 000005
【図４】
2019170166.tif 000006
【図５】
2019170166.tif 000007
【図６】
2019170166.tif 000008